(57)【要約】      （修正有）【課題】使用者に音声入力可能な時間を表示し、操作性が良好な音声認識リモコンを提供する。【解決手段】音声を入力するためのマイク２と、マイク２を操作する操作部と、マイク２より入力した音声を解析する音声認識制御部と、音声認識制御部の認識結果を送信データに変換する制御部と、状態を表示する表示部６と、送信データを赤外線信号として送信する送信部７とを有し、表示部６が、音声認識可能時間を表示する。【選択図】図４
2014115446.tif 000002
【特許請求の範囲】
【請求項１】
音声を入力するためのマイクと、前記マイクを操作する操作部と、前記マイクより入力した音声を解析する音声認識制御部と、前記音声認識制御部の認識結果を送信データに変換する制御部と、状態を表示する表示部と、送信データを赤外線信号として送信する送信部とを有し、前記表示部が、音声認識可能時間を表示することを特徴とする音声認識リモコン。
【請求項２】
前記表示部は、数字を表示可能な表示部であることを特徴とする請求項１に記載の音声認識リモコン。
【請求項３】
前記表示部は、音声認識可能時間をグラフ形式で表示することを特徴とする請求項２に記載の音声認識リモコン。
【請求項４】
前記表示部は、光源からなる表示部であり、光源の点滅によって、音声認識可能時間を表示することを特徴とする請求項１に記載の音声認識リモコン。
【請求項５】
前記表示部は、少なくとも異なる２色の光源からなる表示部であり、前記異なる色の光源の表示色を変化させて音声認識可能時間を表示することを特徴とする請求項１に記載の音声認識リモコン。
【発明の詳細な説明】
【技術分野】
【０００１】
本発明は、音声を認識し、機器を制御する音声認識リモコンに関する。
【背景技術】
【０００２】
従来の音声認識リモコンは、音声を入力するためのマイクと、前記マイクに入力された音声を赤外線信号に変換して送信する送信手段と、スイッチが操作されている間だけ前記マイク及び前記送信手段に直流電力を供給する直流電力供給手段と、を備えたものであった（特許文献１を参照）。
【先行技術文献】
【特許文献】
【０００３】
【特許文献１】特開２０００−７４４６５号公報
【発明の概要】
【発明が解決しようとする課題】
【０００４】
従来の音声認識リモコンは、前記スイッチを操作している間だけ音声入力が可能となる構成であったり、あるいは、前記スイッチを一度操作するだけで音声入力可能な状態にし、音声入力が所定時間なかった場合にはタイムアウトして音声入力不可な状態となるものであった。
【０００５】
前記スイッチを操作している間だけ音声入力が可能となる構成では、前記スイッチを操作し続けるために操作性があまり良好ではない。また、前記スイッチを一度操作するだけで音声入力可能な状態にし、音声入力が所定時間なかった場合にはタイムアウトして音声入力不可な状態となるものは、前記リモコンを使用する使用者は、音声入力可能な時間を意識することができず、これも操作性が良好ではないという問題点があった。
【０００６】
そこで本発明は、前記問題点を解消し、使用者に音声入力可能な時間を表示し、操作性が良好な音声認識リモコンを提供することを目的とする。
【課題を解決するための手段】
【０００７】
本発明の音声認識リモコンは、音声を入力するためのマイクと、前記マイクを操作する操作部と、前記マイクより入力した音声を解析する音声認識制御部と、前記音声認識制御部の認識結果を送信データに変換する制御部と、状態を表示する表示部と、送信データを赤外線信号として送信する送信部とを有し、前記表示部が、音声認識可能時間を表示するものである。
【０００８】
また、前記表示部は、数字を表示可能な表示部である。
【０００９】
また、前記表示部は、音声認識可能時間をグラフ形式で表示する。
【００１０】
また、前記表示部は、光源からなる表示部であり、光源の点滅によって、音声認識可能時間を表示するものである。
【００１１】
また、前記表示部は、少なくとも異なる２色の光源からなる表示部であり、前記異なる色の光源の表示色を変化させて音声認識可能時間を表示するものである。
【発明の効果】
【００１２】
本発明は、所期の目的を達成することができ、使用者に音声入力可能な時間を表示し、操作性が良好な音声認識リモコンを提供することができる。
【図面の簡単な説明】
【００１３】
【図１】本発明の第１実施形態のリモコンの構成を示す図。
【図２】同実施形態の音声認識制御部の構成を示す図。
【図３】同実施形態の音声認識制御を示すフローチャート。
【図４】同実施形態のリモコンの正面図。
【図５】本発明の第２実施形態のリモコンの正面図。
【図６】本発明の第３実施形態の表示部の作動を示す図。
【図７】本発明の第４実施形態のリモコンの正面図。
【発明を実施するための形態】
【００１４】
以下、本発明の第１実施形態を図１〜４に基づいて説明する。
【００１５】
本実施形態の音声認識リモコン１は、空気調和機を操作するリモコンとして説明する。図１に示すように、音声認識リモコン１は、マイク２と、操作部３と、音声認識制御部４と、制御部５と、表示部６と、送信部７と、音出力部８と、を備えている。
【００１６】
マイク２は、音声認識リモコンに音声を入力するものである。
【００１７】
操作部３は、音声認識リモコン１の操作を行うもので、本実施形態では、複数の操作スイッチを有している。操作スイッチの例としては、音声認識スイッチ３１、▲（上三角）スイッチ３２、▼（下三角）スイッチ３３などを備えている。音声認識スイッチ３１は、マイク２を操作し音声入力可能とするスイッチである。なお、操作部３は、機械的なスイッチに限定されるものではなく、タッチパネルなどであってもよい。
【００１８】
音声認識制御部４は、マイク２より入力した音声を解析するものである。音声認識制御部４は、図２で示すように、音声認識制御部４は、音声データ入力部４１と、音声データ認識判定部４２と、音声データ記憶部４３と、出力判定部４４と、音声出力生成部４５と、画面表示生成部４６とを備えている。
【００１９】
音声認識制御部４は、マイク２にて入力された音声を音声データ入力部４１にて処理し、音声データ認識判定部４２にて、ＲＯＭ（リードオンリーメモリー）等からなる音声データ記憶部４３の記憶してある音声データと照合し、入力された音声データを判定する。出力判定部４４にて「音声選択肢ガイド」または「音声認識結果の音声ガイド」を行うかを判定し、音声出力生成部４５にて音声データを組み立てる。また、画面表示生成部４６にて音声認識中の残時間表示組み立てを行い、残時間を表示する。
【００２０】
制御部５は、マイクロコンピュータからなり、音声認識制御部４の認識結果を送信データに変換するものである。
【００２１】
表示部６は、本実施形態では、ＬＥＤ（発光ダイオード）や液晶表示素子などからなり、２桁の数字を表示することが可能である。通常であれば、前記空気調和機の設定温度を表示するものであるが、本実施形態では、音声認識可能な時間も表示するものである。本実施形態では、音声認識可能な残り時間を１０〜０秒まで表示する。
【００２２】
送信部７は、送信データを赤外線信号として前記空気調和機に送信するものである。
【００２３】
音出力部８は、本実施形態では、スピーカであり、動作音や警告音あるいは音声を出力することが可能である。
【００２４】
次に、図３を用いて、音声認識制御部４での処理を説明する。
【００２５】
音声認識スイッチ３１の操作によって、処理がスタートする。ステップＳ１で、選択肢の音声ガイダンスを行う。例えば、前記空気調和機を操作する、冷房、暖房、除湿などの運転モードを音声で出力する。
【００２６】
ステップＳ２で、表示部６で、音声認識可能時間の表示を開始する。本実施形態では、１０秒から０秒までのカウントダウンで表示する。
【００２７】
ステップＳ３では、音声データ認識判定部４２で、マイク２から入力された音声の音声認識を実行する。
【００２８】
ステップＳ４では、出力判定部４４で、入力された音声の音声認識結果を判定する。
【００２９】
ステップＳ５では、出力判定部４４の判定結果に基づいて、音声認識結果の音声ガイドをスピーカ８から出力する。
【００３０】
ステップＳ６では、表示部６で表示していた音声認識可能時間の表示を停止し、処理が終了する。
【００３１】
なお、音声認識可能時間の表示は、カウントダウンに限定されるものではなく、カウントアップ表示でも良い。
【００３２】
次に本発明の第２実施形態を図５を用いて説明する。なお、前記実施形態と同一及び相当箇所には同一符号を付して、その詳細な説明は、省略する。
【００３３】
本実施形態のリモコン１１では、表示部１６は、光源からなる。光源としては、単色の発光ダイオードである。この光源１６は、リモコン１１の操作部３のスイッチ３２、３３を操作したときに点灯し、操作したことを使用者に報知するものである。この光源１６の点滅によって、音声認識可能時間を表示するものであり、例えば、音声認識可能時間の初期は、点滅周期が長く、終期では、点滅周期を短くすることによって、音声認識可能時間を表示する。
【００３４】
次に本発明の第３実施形態を図６を用いて説明する。なお、前記実施形態と同一及び相当箇所には同一符号を付して、その詳細な説明は、省略する。
【００３５】
本実施形態では、表示部は、少なくとも異なる２色の光源からなる。光源としては、単色の発光ダイオードである。色は、青と赤の２色の光源である。この異なる２色の光源の表示色を変化させて音声認識可能時間を表示するものであり、例えば、図６で示すように、音声認識可能時間の初期は、青色の光源を点灯させ、図６の示すように、徐々に青色の光源の輝度Ｂを低下させるとともに、また、赤色の光源の輝度Ｒを時間の経過とともに上げ、音声認識可能時間を表示する。
【００３６】
次に本発明の第４実施形態を図７を用いて説明する。なお、前記実施形態と同一及び相当箇所には同一符号を付して、その詳細な説明は、省略する。
【００３７】
本実施形態のリモコン２１では、表示部２６は、音声認識可能時間をグラフ形式で表示するものであり、表示部２６にバーグラフ表示部２７を備えている。このバーグラフ表示部２７によって、音声認識可能時間を表示するものであり、例えば、音声認識可能時間の経過に従って、バーグラフ表示部２７の黒で表示された部分が、少なく表示され、音声認識可能時間を表示する。
【００３８】
以上により、使用者に音声入力可能な時間を表示し、操作性が良好な音声認識リモコンを提供することができる。
【産業上の利用可能性】
【００３９】
本発明は、音声を認識し、機器を制御する音声認識リモコンに利用可能である。
【符号の説明】
【００４０】
１、１１、２１  音声認識リモコン
２        マイク
３        操作部
４        音声認識制御部
５        制御部
６        表示部
７        送信部
８        音出力部
３１        音声認識スイッチ
３２        ▲（上三角）スイッチ
３３        ▼（下三角）スイッチ
４１        音声データ入力部
４２        音声データ認識判定部
４３        音声データ記憶部
４４        出力判定部
４５        音声出力生成部
４６        画面表示生成部
【図１】
2014115446.tif 000003
【図２】
2014115446.tif 000004
【図３】
2014115446.tif 000005
【図４】
2014115446.tif 000006
【図５】
2014115446.tif 000007
【図６】
2014115446.tif 000008
【図７】
2014115446.tif 000009